(57)【要約】【課題】  簡単な操作で手軽に印刷指示できる端末装置を実現する。【解決手段】  アドレス帳テーブルＡＤＴから宛先となるアドレスデータを選択すると、選択されたアドレスデータのグループ番号と同じグループ番号を備えたテンプレートデータを印刷テンプレートテーブルＰＴＴから読み出し、読み出したテンプレートデータおよび選択されたアドレスデータに基づき、葉書表面の宛先や画像情報を含む印刷レイアウトで葉書裏面を印刷するための印刷データを発生して印刷指示する。したがって、アドレスデータを選択するという簡単な操作だけで、撮像した画像を用いた年賀状や暑中見舞い等の印刷指示を手軽に行うことができる。【選択図】  図１６
2005286545.tif 000002
【特許請求の範囲】
【請求項１】
少なくとも宛先となる住所氏名を含む個人情報およびグループ番号を備えたアドレスデータを記憶するアドレス記憶手段と、
撮像した画像を印刷対象に指定する画像情報を含む印刷レイアウトおよびグループ番号を備えたテンプレートデータを記憶するテンプレート記憶手段と、
前記アドレス記憶手段に記憶されるアドレスデータの内から宛先にするアドレスデータを選択するアドレス選択手段と、
前記アドレス選択手段により選択されたアドレスデータのグループ番号と同じグループ番号を備えたテンプレートデータを、前記テンプレート記憶手段に記憶されるテンプレートデータの内から指定するテンプレート指定手段と、
前記テンプレート指定手段により指定されたテンプレートデータ中の印刷レイアウトと前記アドレス選択手段により選択されたアドレスデータ中の個人情報とを用いて印刷データを発生して印刷指示する印刷指示手段と
を具備することを特徴とする端末装置。
【請求項２】
少なくとも宛先となる住所氏名を含む個人情報およびグループ番号を備えたアドレスデータを記憶するアドレス記憶手段と、
撮像した画像を印刷対象に指定する画像情報を含む印刷レイアウトおよびグループ番号を備えたテンプレートデータを記憶するテンプレート記憶手段と、
前記テンプレート記憶手段に記憶されるテンプレートデータの内から所望の印刷レイアウトを備えたテンプレートデータを選択するテンプレート選択手段と、
前記テンプレート選択手段により選択されたテンプレートデータのグループ番号と同じグループ番号を備えたアドレスデータを、前記アドレス記憶手段に記憶されるアドレスデータの内から指定するアドレス指定手段と、
前記テンプレート選択手段により選択されたテンプレートデータ中の印刷レイアウトと前記アドレス指定手段により指定されたアドレスデータ中の個人情報とを用いて印刷データを発生して印刷指示する印刷指示手段と
を具備することを特徴とする端末装置。
【請求項３】
グループ名毎のグループ番号を記憶するグループ記憶手段と、
少なくとも宛先となる住所氏名を含む個人情報およびグループ番号を備えたアドレスデータを記憶するアドレス記憶手段と、
撮像した画像を印刷対象に指定する画像情報を含む印刷レイアウトおよびグループ番号を備えたテンプレートデータを記憶するテンプレート記憶手段と、
前記グループ記憶手段に記憶されるグループ名の内から所望のグループ名を選択するグループ選択手段と、
前記グループ選択手段により選択されたグループ名のグループ番号と同じグループ番号を備えたアドレスデータを、前記アドレス記憶手段に記憶されるアドレスデータの内から指定するアドレス指定手段と、
前記グループ選択手段により選択されたグループ名のグループ番号と同じグループ番号を備えたテンプレートデータを、前記テンプレート記憶手段に記憶されるテンプレートデータの内から指定するテンプレート指定手段と、
前記テンプレート指定手段により指定されたテンプレートデータ中の印刷レイアウトと前記アドレス指定手段により指定されたアドレスデータ中の個人情報とを用いて印刷データを発生して印刷指示する印刷指示手段と
を具備することを特徴とする端末装置。
【請求項４】
グループ名毎のグループ番号を記憶するグループ記憶手段と、
少なくとも宛先となる住所氏名を含む個人情報およびグループ番号を備えたアドレスデータを記憶するアドレス記憶手段と、
撮像した画像を印刷対象に指定する画像情報を含む印刷レイアウトおよびグループ番号を備えたテンプレートデータを記憶するテンプレート記憶手段と、
第１〜第３の印刷モードのいずれかの実行を指示する実行指示手段とを具備し、
前記実行指示手段が第１の印刷モードの実行を指示した場合には、
前記アドレス記憶手段に記憶されるアドレスデータの内から宛先にするアドレスデータを選択するアドレス選択手段と、
前記アドレス選択手段により選択されたアドレスデータのグループ番号と同じグループ番号を備えたテンプレートデータを、前記テンプレート記憶手段に記憶されるテンプレートデータの内から指定する第１のテンプレート指定手段と、
前記第１のテンプレート指定手段により指定されたテンプレートデータ中の印刷レイアウトと前記アドレス選択手段により選択されたアドレスデータ中の個人情報とを用いて印刷データを発生して印刷指示する第１の印刷指示手段とを実行させ、
前記実行指示手段が第２の印刷モードの実行を指示した場合には、
前記テンプレート記憶手段に記憶されるテンプレートデータの内から所望の印刷レイアウトを備えたテンプレートデータを選択するテンプレート選択手段と、
前記テンプレート選択手段により選択されたテンプレートデータのグループ番号と同じグループ番号を備えたアドレスデータを、前記アドレス記憶手段に記憶されるアドレスデータの内から指定する第１のアドレス指定手段と、
前記テンプレート選択手段により選択されたテンプレートデータ中の印刷レイアウトと前記第１のアドレス指定手段により指定されたアドレスデータ中の個人情報とを用いて印刷データを発生して印刷指示する第２の印刷指示手段とを実行させ、
前記実行指示手段が第３の印刷モードの実行を指示した場合には、
前記グループ記憶手段に記憶されるグループ名の内から所望のグループ名を選択するグループ選択手段と、
前記グループ選択手段により選択されたグループ名のグループ番号と同じグループ番号を備えたアドレスデータを、前記アドレス記憶手段に記憶されるアドレスデータの内から指定する第２のアドレス指定手段と、
前記グループ選択手段により選択されたグループ名のグループ番号と同じグループ番号を備えたテンプレートデータを、前記テンプレート記憶手段に記憶されるテンプレートデータの内から指定する第２のテンプレート指定手段と、
前記第２のテンプレート指定手段により指定されたテンプレートデータ中の印刷レイアウトと前記第２のアドレス指定手段により指定されたアドレスデータ中の個人情報とを用いて印刷データを発生して印刷指示する第３の印刷指示手段とを実行させることを特徴とする端末装置。
【請求項５】
印刷指示が発生する毎に、印刷日時、印刷に用いたアドレス番号、印刷に用いたテンプレート番号、印刷に用いたグループ番号を印刷枚数と共に記録する印刷履歴手段を具備することを特徴とする請求項１〜４のいずれかに記載の端末装置。
【請求項６】
少なくとも宛先となる住所氏名を含む個人情報およびグループ番号を備えたアドレスデータを登録しておき、登録されたアドレスデータの内から宛先にするアドレスデータを選択するアドレス選択処理と、
撮像した画像を印刷対象に指定する画像情報を含む印刷レイアウトおよびグループ番号を備えたテンプレートデータを登録しておき、登録されたテンプレートデータの内から前記アドレス選択処理にて選択されたアドレスデータのグループ番号と同じグループ番号を備えたテンプレートデータを指定するテンプレート指定処理と、
前記テンプレート指定処理にて指定されたテンプレートデータ中の印刷レイアウトと前記アドレス選択処理にて選択されたアドレスデータ中の個人情報とを用いて印刷データを発生して印刷指示する印刷指示処理と
をコンピュータで実行させることを特徴とする端末処理プログラム。
【請求項７】
撮像した画像を印刷対象に指定する画像情報を含む印刷レイアウトおよびグループ番号を備えたテンプレートデータを登録しておき、登録されたテンプレートデータの内から所望の印刷レイアウトを備えたテンプレートデータを選択するテンプレート選択処理と、
少なくとも宛先となる住所氏名を含む個人情報およびグループ番号を備えたアドレスデータを登録しておき、登録されたアドレスデータの内から前記テンプレート選択処理にて選択されたテンプレートデータのグループ番号と同じグループ番号を備えたアドレスデータを指定するアドレス指定処理と、
前記テンプレート選択処理にて選択されたテンプレートデータ中の印刷レイアウトと前記アドレス指定処理により指定されたアドレスデータ中の個人情報とを用いて印刷データを発生して印刷指示する印刷指示処理と
をコンピュータで実行させることを特徴とする端末処理プログラム。
【請求項８】
予めグループ名毎のグループ番号を登録しておき、それら内から所望のグループ名を選択するグループ選択処理と、
少なくとも宛先となる住所氏名を含む個人情報およびグループ番号を備えたアドレスデータを登録しておき、登録されたアドレスデータの内から前記グループ選択処理にて選択されたグループ名のグループ番号と同じグループ番号を備えたアドレスデータを指定するアドレス指定処理と、
撮像した画像を印刷対象に指定する画像情報を含む印刷レイアウトおよびグループ番号を備えたテンプレートデータを登録しておき、登録されたテンプレートデータの内から前記グループ選択処理にて選択されたグループ名のグループ番号と同じグループ番号を備えたテンプレートデータを指定するテンプレート指定処理と、
前記テンプレート指定処理にて指定されたテンプレートデータ中の印刷レイアウトと前記アドレス指定処理により指定されたアドレスデータ中の個人情報とを用いて印刷データを発生して印刷指示する印刷指示処理と
をコンピュータで実行させることを特徴とする端末処理プログラム。
【請求項９】
第１〜第３の印刷モードのいずれかで実行されるコンピュータプログラムであって、
第１の印刷モードでは、
少なくとも宛先となる住所氏名を含む個人情報およびグループ番号を備えたアドレスデータを登録しておき、登録されたアドレスデータの内から宛先にするアドレスデータを選択するアドレス選択処理と、
撮像した画像を印刷対象に指定する画像情報を含む印刷レイアウトおよびグループ番号を備えたテンプレートデータを登録しておき、登録されたテンプレートデータの内から前記アドレス選択処理にて選択されたアドレスデータのグループ番号と同じグループ番号を備えたテンプレートデータを指定する第１のテンプレート指定処理と、
前記第１のテンプレート指定処理にて指定されたテンプレートデータ中の印刷レイアウトと前記アドレス選択処理にて選択されたアドレスデータ中の個人情報とを用いて印刷データを発生して印刷指示する第１の印刷指示処理とをコンピュータで実行させ、
第２の印刷モードでは、
撮像した画像を印刷対象に指定する画像情報を含む印刷レイアウトおよびグループ番号を備えたテンプレートデータを登録しておき、登録されたテンプレートデータの内から所望の印刷レイアウトを備えたテンプレートデータを選択するテンプレート選択処理と、
少なくとも宛先となる住所氏名を含む個人情報およびグループ番号を備えたアドレスデータを登録しておき、登録されたアドレスデータの内から前記テンプレート選択処理にて選択されたテンプレートデータのグループ番号と同じグループ番号を備えたアドレスデータを指定する第１のアドレス指定処理と、
前記テンプレート選択処理にて選択されたテンプレートデータ中の印刷レイアウトと前記第１のアドレス指定処理により指定されたアドレスデータ中の個人情報とを用いて印刷データを発生して印刷指示する第２の印刷指示処理とをコンピュータで実行させ、
第３の印刷モードでは、
予めグループ名毎のグループ番号を記憶しておき、それら内から所望のグループ名を選択するグループ選択処理と、
少なくとも宛先となる住所氏名を含む個人情報およびグループ番号を備えたアドレスデータを登録しておき、登録されたアドレスデータの内から前記グループ選択処理にて選択されたグループ名に対応するグループ番号と同じグループ番号を備えたアドレスデータを指定する第２のアドレス指定処理と、
撮像した画像を印刷対象に指定する画像情報を含む印刷レイアウトおよびグループ番号を備えたテンプレートデータを登録しておき、登録されたテンプレートデータの内から前記グループ選択処理にて選択されたグループ名に対応するグループ番号と同じグループ番号を備えたテンプレートデータを指定する第２のテンプレート指定処理と、
前記第２のテンプレート指定処理にて指定されたテンプレートデータ中の印刷レイアウトと前記第２のアドレス指定処理により指定されたアドレスデータ中の個人情報とを用いて印刷データを発生して印刷指示する第３の印刷指示処理と
をコンピュータで実行させることを特徴とする端末処理プログラム。
【請求項１０】
印刷指示が発生する毎に、印刷日時、印刷に用いたアドレス番号、印刷に用いたテンプレート番号、印刷に用いたグループ番号を印刷枚数と共に記録する印刷履歴処理を具備することを特徴とする請求項６〜９のいずれかに記載の端末処理プログラム。
【発明の詳細な説明】
【技術分野】
【０００１】
本発明は、例えばカメラ付き携帯電話などに用いて好適な端末装置および端末処理プログラムに関する。
【背景技術】
【０００２】
外部機器に接続可能なインタフェースを備え、このインタフェースを介して接続されるプリンタやパーソナルコンピュータなどを制御する機能を具備した端末装置が知られている。この種の装置として、例えば特許文献１には、携帯電話機が備える電話帳に、プリンタ又はＰＣ等の接続可能なデバイス名を登録しておき、携帯電話機側で作成した印刷データをプリンタから印刷出力させる場合に、電話帳からプリンタのデバイス名を選択して印刷実行するものが開示されている。
【０００３】
【特許文献１】特開２００１−１７７６２５号公報
【発明の開示】
【発明が解決しようとする課題】
【０００４】
携帯性を重視する端末装置では、一画面で表示する情報量が少なく入力操作も限られる為、上記特許文献１に開示の装置のように、単に印刷データをプリンタ出力するだけならば、ユーザに複雑な操作を強いることなく実行可能になる。
ところが、昨今の携帯電話機のように、デジタルカメラ機能を有し、これにより撮像した画像データを記憶管理できるようにした端末装置では、アドレス帳に登録されたアドレスデータに連携させて、例えば撮像した画像データを用いた年賀状や暑中見舞い等を印刷したいというニーズがあるが、こうしたニーズに対応しようとすると、操作手順の複雑化や煩雑化を招き、手軽に印刷指示することができないという問題がある。
【０００５】
そこで本発明は、このような事情に鑑みてなされたもので、簡単な操作で手軽に印刷指示することができる端末装置および端末処理プログラムを提供することを目的としている。
【課題を解決するための手段】
【０００６】
上記目的を達成するため、請求項１に記載の発明では、少なくとも宛先となる住所氏名を含む個人情報およびグループ番号を備えたアドレスデータを記憶するアドレス記憶手段と、撮像した画像を印刷対象に指定する画像情報を含む印刷レイアウトおよびグループ番号を備えたテンプレートデータを記憶するテンプレート記憶手段と、前記アドレス記憶手段に記憶されるアドレスデータの内から宛先にするアドレスデータを選択するアドレス選択手段と、前記アドレス選択手段により選択されたアドレスデータのグループ番号と同じグループ番号を備えたテンプレートデータを、前記テンプレート記憶手段に記憶されるテンプレートデータの内から指定するテンプレート指定手段と、前記テンプレート指定手段により指定されたテンプレートデータ中の印刷レイアウトと前記アドレス選択手段により選択されたアドレスデータ中の個人情報とを用いて印刷データを発生して印刷指示する印刷指示手段とを具備することを特徴とする。
【０００７】
請求項２に記載の発明では、少なくとも宛先となる住所氏名を含む個人情報およびグループ番号を備えたアドレスデータを記憶するアドレス記憶手段と、撮像した画像を印刷対象に指定する画像情報を含む印刷レイアウトおよびグループ番号を備えたテンプレートデータを記憶するテンプレート記憶手段と、前記テンプレート記憶手段に記憶されるテンプレートデータの内から所望の印刷レイアウトを備えたテンプレートデータを選択するテンプレート選択手段と、前記テンプレート選択手段により選択されたテンプレートデータのグループ番号と同じグループ番号を備えたアドレスデータを、前記アドレス記憶手段に記憶されるアドレスデータの内から指定するアドレス指定手段と、前記テンプレート選択手段により選択されたテンプレートデータ中の印刷レイアウトと前記アドレス指定手段により指定されたアドレスデータ中の個人情報とを用いて印刷データを発生して印刷指示する印刷指示手段とを具備することを特徴とする。
【０００８】
請求項３に記載の発明では、グループ名毎のグループ番号を記憶するグループ記憶手段と、少なくとも宛先となる住所氏名を含む個人情報およびグループ番号を備えたアドレスデータを記憶するアドレス記憶手段と、撮像した画像を印刷対象に指定する画像情報を含む印刷レイアウトおよびグループ番号を備えたテンプレートデータを記憶するテンプレート記憶手段と、前記グループ記憶手段に記憶されるグループ名の内から所望のグループ名を選択するグループ選択手段と、前記グループ選択手段により選択されたグループ名のグループ番号と同じグループ番号を備えたアドレスデータを、前記アドレス記憶手段に記憶されるアドレスデータの内から指定するアドレス指定手段と、前記グループ選択手段により選択されたグループ名のグループ番号と同じグループ番号を備えたテンプレートデータを、前記テンプレート記憶手段に記憶されるテンプレートデータの内から指定するテンプレート指定手段と、前記テンプレート指定手段により指定されたテンプレートデータ中の印刷レイアウトと前記アドレス指定手段により指定されたアドレスデータ中の個人情報とを用いて印刷データを発生して印刷指示する印刷指示手段とを具備することを特徴とする。
【０００９】
請求項４に記載の発明では、グループ名毎のグループ番号を記憶するグループ記憶手段と、少なくとも宛先となる住所氏名を含む個人情報およびグループ番号を備えたアドレスデータを記憶するアドレス記憶手段と、撮像した画像を印刷対象に指定する画像情報を含む印刷レイアウトおよびグループ番号を備えたテンプレートデータを記憶するテンプレート記憶手段と、第１〜第３の印刷モードのいずれかの実行を指示する実行指示手段とを具備し、
前記実行指示手段が第１の印刷モードの実行を指示した場合には、前記アドレス記憶手段に記憶されるアドレスデータの内から宛先にするアドレスデータを選択するアドレス選択手段と、前記アドレス選択手段により選択されたアドレスデータのグループ番号と同じグループ番号を備えたテンプレートデータを、前記テンプレート記憶手段に記憶されるテンプレートデータの内から指定する第１のテンプレート指定手段と、前記第１のテンプレート指定手段により指定されたテンプレートデータ中の印刷レイアウトと前記アドレス選択手段により選択されたアドレスデータ中の個人情報とを用いて印刷データを発生して印刷指示する第１の印刷指示手段とを実行させ、
前記実行指示手段が第２の印刷モードの実行を指示した場合には、前記テンプレート記憶手段に記憶されるテンプレートデータの内から所望の印刷レイアウトを備えたテンプレートデータを選択するテンプレート選択手段と、前記テンプレート選択手段により選択されたテンプレートデータのグループ番号と同じグループ番号を備えたアドレスデータを、前記アドレス記憶手段に記憶されるアドレスデータの内から指定する第１のアドレス指定手段と、前記テンプレート選択手段により選択されたテンプレートデータ中の印刷レイアウトと前記第１のアドレス指定手段により指定されたアドレスデータ中の個人情報とを用いて印刷データを発生して印刷指示する第２の印刷指示手段とを実行させ、
前記実行指示手段が第３の印刷モードの実行を指示した場合には、前記グループ記憶手段に記憶されるグループ名の内から所望のグループ名を選択するグループ選択手段と、前記グループ選択手段により選択されたグループ名のグループ番号と同じグループ番号を備えたアドレスデータを、前記アドレス記憶手段に記憶されるアドレスデータの内から指定する第２のアドレス指定手段と、前記グループ選択手段により選択されたグループ名のグループ番号と同じグループ番号を備えたテンプレートデータを、前記テンプレート記憶手段に記憶されるテンプレートデータの内から指定する第２のテンプレート指定手段と、前記第２のテンプレート指定手段により指定されたテンプレートデータ中の印刷レイアウトと前記第２のアドレス指定手段により指定されたアドレスデータ中の個人情報とを用いて印刷データを発生して印刷指示する第３の印刷指示手段とを実行させることを特徴とする。
【００１０】
上記請求項１〜４のいずれかに従属する請求項５に記載の発明では、印刷指示が発生する毎に、印刷日時、印刷に用いたアドレス番号、印刷に用いたテンプレート番号、印刷に用いたグループ番号を印刷枚数と共に記録する印刷履歴手段を具備することを特徴とする。
【００１１】
請求項６に記載の発明では、少なくとも宛先となる住所氏名を含む個人情報およびグループ番号を備えたアドレスデータを登録しておき、登録されたアドレスデータの内から宛先にするアドレスデータを選択するアドレス選択処理と、撮像した画像を印刷対象に指定する画像情報を含む印刷レイアウトおよびグループ番号を備えたテンプレートデータを登録しておき、登録されたテンプレートデータの内から前記アドレス選択処理にて選択されたアドレスデータのグループ番号と同じグループ番号を備えたテンプレートデータを指定するテンプレート指定処理と、前記テンプレート指定処理にて指定されたテンプレートデータ中の印刷レイアウトと前記アドレス選択処理にて選択されたアドレスデータ中の個人情報とを用いて印刷データを発生して印刷指示する印刷指示処理とをコンピュータで実行させることを特徴とする。
【００１２】
請求項７に記載の発明では、撮像した画像を印刷対象に指定する画像情報を含む印刷レイアウトおよびグループ番号を備えたテンプレートデータを登録しておき、登録されたテンプレートデータの内から所望の印刷レイアウトを備えたテンプレートデータを選択するテンプレート選択処理と、少なくとも宛先となる住所氏名を含む個人情報およびグループ番号を備えたアドレスデータを登録しておき、登録されたアドレスデータの内から前記テンプレート選択処理にて選択されたテンプレートデータのグループ番号と同じグループ番号を備えたアドレスデータを指定するアドレス指定処理と、前記テンプレート選択処理にて選択されたテンプレートデータ中の印刷レイアウトと前記アドレス指定処理により指定されたアドレスデータ中の個人情報とを用いて印刷データを発生して印刷指示する印刷指示処理とをコンピュータで実行させることを特徴とする。
【００１３】
請求項８に記載の発明では、予めグループ名毎のグループ番号を登録しておき、それら内から所望のグループ名を選択するグループ選択処理と、少なくとも宛先となる住所氏名を含む個人情報およびグループ番号を備えたアドレスデータを登録しておき、登録されたアドレスデータの内から前記グループ選択処理にて選択されたグループ名のグループ番号と同じグループ番号を備えたアドレスデータを指定するアドレス指定処理と、撮像した画像を印刷対象に指定する画像情報を含む印刷レイアウトおよびグループ番号を備えたテンプレートデータを登録しておき、登録されたテンプレートデータの内から前記グループ選択処理にて選択されたグループ名のグループ番号と同じグループ番号を備えたテンプレートデータを指定するテンプレート指定処理と、前記テンプレート指定処理にて指定されたテンプレートデータ中の印刷レイアウトと前記アドレス指定処理により指定されたアドレスデータ中の個人情報とを用いて印刷データを発生して印刷指示する印刷指示処理とをコンピュータで実行させることを特徴とする。
【００１４】
請求項９に記載の発明では、第１〜第３の印刷モードのいずれかで実行されるコンピュータプログラムであって、
第１の印刷モードでは、少なくとも宛先となる住所氏名を含む個人情報およびグループ番号を備えたアドレスデータを登録しておき、登録されたアドレスデータの内から宛先にするアドレスデータを選択するアドレス選択処理と、撮像した画像を印刷対象に指定する画像情報を含む印刷レイアウトおよびグループ番号を備えたテンプレートデータを登録しておき、登録されたテンプレートデータの内から前記アドレス選択処理にて選択されたアドレスデータのグループ番号と同じグループ番号を備えたテンプレートデータを指定する第１のテンプレート指定処理と、前記第１のテンプレート指定処理にて指定されたテンプレートデータ中の印刷レイアウトと前記アドレス選択処理にて選択されたアドレスデータ中の個人情報とを用いて印刷データを発生して印刷指示する第１の印刷指示処理とをコンピュータで実行させ、
第２の印刷モードでは、撮像した画像を印刷対象に指定する画像情報を含む印刷レイアウトおよびグループ番号を備えたテンプレートデータを登録しておき、登録されたテンプレートデータの内から所望の印刷レイアウトを備えたテンプレートデータを選択するテンプレート選択処理と、少なくとも宛先となる住所氏名を含む個人情報およびグループ番号を備えたアドレスデータを登録しておき、登録されたアドレスデータの内から前記テンプレート選択処理にて選択されたテンプレートデータのグループ番号と同じグループ番号を備えたアドレスデータを指定する第１のアドレス指定処理と、前記テンプレート選択処理にて選択されたテンプレートデータ中の印刷レイアウトと前記第１のアドレス指定処理により指定されたアドレスデータ中の個人情報とを用いて印刷データを発生して印刷指示する第２の印刷指示処理とをコンピュータで実行させ、
第３の印刷モードでは、予めグループ名毎のグループ番号を記憶しておき、それら内から所望のグループ名を選択するグループ選択処理と、少なくとも宛先となる住所氏名を含む個人情報およびグループ番号を備えたアドレスデータを登録しておき、登録されたアドレスデータの内から前記グループ選択処理にて選択されたグループ名に対応するグループ番号と同じグループ番号を備えたアドレスデータを指定する第２のアドレス指定処理と、撮像した画像を印刷対象に指定する画像情報を含む印刷レイアウトおよびグループ番号を備えたテンプレートデータを登録しておき、登録されたテンプレートデータの内から前記グループ選択処理にて選択されたグループ名に対応するグループ番号と同じグループ番号を備えたテンプレートデータを指定する第２のテンプレート指定処理と、前記第２のテンプレート指定処理にて指定されたテンプレートデータ中の印刷レイアウトと前記第２のアドレス指定処理により指定されたアドレスデータ中の個人情報とを用いて印刷データを発生して印刷指示する第３の印刷指示処理とをコンピュータで実行させることを特徴とする。
【００１５】
上記請求項６〜９に従属する請求項１０に記載の発明では、印刷指示が発生する毎に、印刷日時、印刷に用いたアドレス番号、印刷に用いたテンプレート番号、印刷に用いたグループ番号を印刷枚数と共に記録する印刷履歴処理を具備することを特徴とする。
【発明の効果】
【００１６】
請求項１，６に記載の発明によれば、宛先にするアドレスデータを選択すると、選択したアドレスデータのグループ番号と同じグループ番号を備えたテンプレートデータが指定され、指定されたテンプレートデータ中の、撮像した画像を印刷対象に指定する画像情報を含む印刷レイアウトと選択されたアドレスデータ中の個人情報とを用いて印刷データを発生して印刷指示するので、アドレスデータを選択するという簡単な操作だけで、例えば撮像した画像を用いた年賀状や暑中見舞い等の印刷指示を手軽に行うことができる。
【００１７】
請求項２，７に記載の発明によれば、所望の印刷レイアウトを備えたテンプレートデータを選択すると、選択したテンプレートデータのグループ番号と同じグループ番号を備えたアドレスデータが指定され、指定されたアドレスデータ中の個人情報と選択されたテンプレートデータ中の印刷レイアウトとを用いて印刷データを発生して印刷指示するので、テンプレートデータを選択するという簡単な操作だけで、例えば撮像した画像を用いた年賀状や暑中見舞い等の印刷指示を手軽に行うことができる。また、テンプレートデータを選択するだけで、その選択されたテンプレートデータを共用するグループに属する各個人宛の印刷を一括して行うことができる。
【００１８】
請求項３，８に記載の発明によれば、予め登録されたグループ名毎のグループ番号の内から所望のグループ名を選択すると、選択したグループ名のグループ番号と同じグループ番号を備えたアドレスデータおよびテンプレートデータが指定され、指定されたテンプレートデータ中の印刷レイアウトと指定されたアドレスデータ中の個人情報とを用いて印刷データを発生して印刷指示するので、グループ名を選択するという簡単な操作だけで、例えば撮像した画像を用いた年賀状や暑中見舞い等の印刷指示を手軽に行うことができる。また、グループ名を選択するだけで、その選択されたグループ名に属する各個人宛の印刷を一括して行うことができる。
【００１９】
請求項４，９に記載の発明によれば、第１の印刷モードを実行した場合には、宛先にするアドレスデータを選択すると、選択したアドレスデータのグループ番号と同じグループ番号を備えたテンプレートデータが指定され、指定されたテンプレートデータ中の、撮像した画像を印刷対象に指定する画像情報を含む印刷レイアウトと選択されたアドレスデータ中の個人情報とを用いて印刷データを発生して印刷指示し、第２の印刷モードを実行した場合には、所望の印刷レイアウトを備えたテンプレートデータを選択すると、選択したテンプレートデータのグループ番号と同じグループ番号を備えたアドレスデータが指定され、指定されたアドレスデータ中の個人情報と選択されたテンプレートデータ中の印刷レイアウトとを用いて印刷データを発生して印刷指示し、第３の印刷モードを実行した場合には、所望のグループ名を選択すると、選択したグループ名のグループ番号と同じグループ番号を備えたアドレスデータおよびテンプレートデータが指定され、指定されたテンプレートデータ中の印刷レイアウトと指定されたアドレスデータ中の個人情報とを用いて印刷データを発生して印刷指示するので、アドレスデータ、テンプレートデータおよびグループ名のいずれかを選択するという簡単な操作だけで、例えば撮像した画像を用いた年賀状や暑中見舞い等の印刷指示を手軽に行うことができる。
【００２０】
請求項５，１０に記載の発明によれば、印刷指示が発生する毎に、印刷日時、印刷に用いたアドレス番号、印刷に用いたテンプレート番号、印刷に用いたグループ番号を印刷枚数と共に記録するので、これにまでに行われた印刷履歴を確認することができる。
【発明を実施するための最良の形態】
【００２１】
以下、図面を参照して本発明の実施の一形態による携帯電話について説明する。
Ａ．構成
（１）機構的構成
図１は実施の一形態である携帯電話１の構成を示すブロック図である。まず最初に機構的な構成について説明する。携帯電話１は折畳み開閉タイプの本体構造を有し、その本体ケース（図示せず）には、送受信用のアンテナ２、音声発生用のスピーカ３、カラー液晶パネル等から構成される表示部４、キー入力部５、音声入力用のマイク６、着脱自在な記憶媒体でデータの読み出しおよび書き込みが可能なメモリカード７、画像を撮像するカメラ８、着信通知するスピーカ９および振動によって着信通知するバイブレータ１０が設けられている。また、本体ケースは、図示していないが、折畳まれたクローズ状態で表示部４のバックライトをオフし、広げられたオープン状態でバックライトをオンさせる折畳みスイッチを有する。
【００２２】
キー入力部５には、各種の専用スイッチと、各種機能が割り当てられる機能スイッチとが設けられる。代表的な専用スイッチとして、パワーオンオフする電源スイッチ、通話開始／回線断時に操作されるオフフック／オンフックスイッチ、ダイヤルスイッチと兼用の文字入力スイッチ、表示内容を消去させるクリアスイッチ、アイテム選択用のカーソルスイッチ、カーソルスイッチで選択されたアイテムを決定する決定スイッチ、カメラ８をオンオフ設定するカメラスイッチ、シャッタ駆動用のシャッタＳＷ、画像ファイル呼出し用の画像ファイルスイッチが設けられている。
また、代表的な機能スイッチとして、登録スイッチ、削除スイッチ、印刷テンプレートスイッチ、画像編集スイッチ、グループ編集スイッチ、アドレス帳スイッチ、新規スイッチ、保存スイッチ、編集スイッチおよび印刷スイッチ等が設けられており、これらスイッチ操作に対応する処理動作については追って述べる。
【００２３】
（２）電気的構成
次に、電気的な構成について説明する。無線送受信部１１は、アンテナ２を介して受信した高周波信号を増幅して次段の無線信号処理部１２に出力する一方、無線信号処理部１２から出力される送信信号を高周波増幅してアンテナ２から輻射する。無線信号処理部１２は、無線送受信部１１によって増幅された高周波信号を復調する一方、制御部１３から供給される送信データを変調した送信信号を発生する。制御部１３は、システムバスを介してコマンドおよびデータの授受を行ってこの装置全体を制御する。本発明の要旨に係わる制御部１３の動作については追って詳述する。加入者情報記憶部１４は、着信日時や着信電話番号などを履歴として記録する着信履歴エリアおよび発信日時や発信電話番号などを履歴として記録する発信発信履歴エリアを備える。
【００２４】
システムＲＯＭ１５は、制御部１３によって実行されるプログラムの他、合成音声データ、種々の初期データおよび各種画面データなどを記憶している。なお、制御部１３によって実行されるプログラムとは、後述するメインルーチン、着信検出処理、画像編集処理、グループ編集処理、新規入力処理、テンプレート印刷処理、個人アドレス印刷処理およびグループ印刷処理を含む。また、システムＲＯＭ１５に格納される各種画面データとは、後述する各種画面（待受画面、番号入力画面、画像ファイルリスト画面、テンプレートリスト画面、印刷テンプレートリスト画面、アドレスリスト画面、印刷メニュー画面、グループリスト画面およびアドレス新規入力画面）を形成するためのデータである。
【００２５】
メモリ１６は、ワーク領域、テーブル領域、メール領域およびデータ領域を備える。メモリ１６のワーク領域には制御部１３が実行する各種処理で使用するレジスタ・フラグデータが一時記憶される。また、ワーク領域には、画像バッファエリアが設けられており、カメラ８から供給される撮像データを一時記憶する。画像バッファエリアに一時記憶される画像（撮像データ）の内、登録指定された画像（撮像データ）がメモリカード７の撮像データエリアに格納保存される。
【００２６】
メモリ１６のテーブル領域には、グループテーブルＧＴ、アドレス帳テーブルＡＤＴ、印刷テンプレートテーブルＰＴＴおよび印刷履歴テーブルＰＲＴが設けられており、これらテーブル内容およびそのデータ構造については後述する。メモリ１６のメール領域は、新規作成エリア、受信メールを保存する受信ＢＯＸおよび送信済みメールを保存する送信ＢＯＸを有する。新規作成エリアには、新規作成メールの宛先、件名、添付データおよび本文をそれぞれ保存する領域（後述の宛先エリア、件名エリア、添付エリアおよび本文エリアに該当）が設けられている。メモリ１６のデータ領域には、例えばカメラ８にて撮像され、待受画面として画面表示される待ち受け画像データ等が格納される。
【００２７】
音声信号処理部１７は、通話中の音声データや合成音声データを音声信号にＤ／Ａ変換してスピーカ３から発音させたり、マイク６から出力される音声信号を音声データにＡ／Ｄ変換して制御部１３に入力したりする。ドライバ１８は、カメラ８が備えるＬＥＤ（発光素子）、着信通知用のスピーカ９およびバイブレータ１０を駆動する。ドライバ１９は、制御部１３からの指示に従い表示部４を表示駆動する。ドライバ２０は、制御部１３からの指示に従いメモリカード７に対してデータをリードライトする。メモリカード７は、画像バッファエリア（メモリ１６のワーク領域）から転送される撮像データを画像ファイルとして格納する撮像データエリアと、外部装置から入力した画像データや曲データを記憶するデータエリアとを備える。入出力インタフェース２１は、制御部１３の制御の下、ＵＳＢケーブルなどのシリアルインタフェースで接続されるプリンタやパソコン等の外部機器との間でデータ授受する。
【００２８】
（３）データ構成
次に、図２〜図５を参照して、メモリ１６のテーブル領域に格納されるグループテーブルＧＴ、印刷テンプレートテーブルＰＴＴおよび印刷履歴テーブルＰＲＴの各データ構造を説明する。図２は、グループテーブルＧＴのデータ構造を示す図である。グループテーブルＧＴは、後述のアドレス帳テーブルＡＤＴに登録されるアドレスデータをグループ化する際に参照されるテーブルであり、グループ番号とそのグループ番号に対応付けられたグループ名とから構成される。図２に図示する一例の場合、例えばグループ番号００１に「親友」というグループ名が対応付けられている。
【００２９】
図３は、アドレス帳テーブルＡＤＴのデータ構造を示す図である。アドレス帳テーブルＡＤＴは、上記グループテーブルＧＴを参照してグループ化されたアドレスデータが登録されるテーブルであり、「アドレス番号」、「グループ番号」、「名前」、「住所」、「電話番号」および「電子メールアドレス」から構成される。図４は、印刷テンプレートテーブルＰＴＴのデータ構造を示す図である。印刷テンプレートテーブルＰＴＴは、印刷レイアウトを指定する際に参照されるテーブルであり、「テンプレート番号」、「テンプレート名称」、「文字列印字位置情報」、「画像位置」、「画像サイズ」、「画像ファイル名」および「グループ番号」から構成される。図５は、印刷履歴テーブルＰＲＴのデータ構造を示す図である。印刷履歴テーブルＰＲＴは、印刷動作の内容を履歴記録するテーブルであり、「アドレス番号」、「印刷日時」、「使用テンプレート番号」および「印刷枚数」から構成される。
【００３０】
Ｂ．動作
次に、上記構成による携帯電話１の動作として、制御部１３が実行するメインルーチン、着信検出処理、画像編集処理、グループ編集処理、新規入力処理、テンプレート印刷処理、個人アドレス印刷処理およびグループ印刷処理の各動作を図６〜図２２を参照して説明する。
【００３１】
（１）メインルーチンの動作
電源スイッチの操作に応じて携帯電話１がパワーオンされると、制御部１３は図６〜図１１に図示するメインルーチンを実行する。メインルーチンが実行されると、制御部１３は図６に示すステップＳＡ１に処理を進め、携帯電話１の各部を初期化するイニシャライズを行う。イニシャライズが完了すると、ステップＳＡ２に進み、メモリ１６に登録される待ち受け画像データと、システムＲＯＭ１５にファクトリープリセットされる待受画面データとを合成して形成した待受画面を表示部４に表示する。
【００３２】
次いで、ステップＳＡ３以降では、「オフフックスイッチ」、「オンフックスイッチ」、「カメラスイッチ」、「画像ファイルスイッチ」、「印刷テンプレートスイッチ」、「アドレス帳スイッチ」および「印刷スイッチ」のオン操作に対応した処理を実行する。以下では、上記各スイッチ操作がオン操作された場合に分けて動作説明する。
【００３３】
ａ．オフフックスイッチがオン操作された場合
ユーザが通話を開始すべくオフフックスイッチをオン操作すると、ステップＳＡ３の判断結果が「ＹＥＳ」になり、ステップＳＡ４に進む。ステップＳＡ４では、表示部４に表示される画面を待受画面から番号入力画面に変更し、続くステップＳＡ５では、ダイヤルスイッチの操作に応じて入力された電話番号を番号入力画面に表示しつつレジスタセットする。次いで、ステップＳＡ６〜ＳＡ７では、レジスタセットされた電話番号に基づき発信および呼出報知を実行する。そして、呼出報知に応じて着呼側がオフフックして回線が接続されると、ステップＳＡ８の判断結果が「ＹＥＳ」になり、ステップＳＡ９に進み、通話処理を実行する。以後、オンフックスイッチがオン操作されるまでステップＳＡ９の通話処理を継続する。
【００３４】
ｂ．オンフックスイッチがオン操作された場合
上記ステップＳＡ９の通話処理中にユーザがオンフックスイッチをオン操作すると、ステップＳＡ１０の判断結果が「ＹＥＳ」になり、ステップＳＡ１１に進み、回線を切る終話処理を実行した後、ステップＳＡ２に処理を戻して待受画面表示状態に復帰する。
【００３５】
ｃ．カメラスイッチがオン操作された場合
カメラ８をオン設定すべくユーザがカメラスイッチをオン操作したとする。そうすると、図７に図示するステップＳＡ１２の判断結果が「ＹＥＳ」になり、ステップＳＡ１３に進み、カメラ８をオン設定する。次いで、ステップＳＡ１４では、オン設定されたカメラ８から出力される撮像データを表示部４に表示する。次に、ステップＳＡ１５〜ＳＡ１６では、シャッタスイッチまたはクリアスイッチのオン操作の有無を判断する。クリアスイッチがオン操作されると、ステップＳＡ１６の判断結果が「ＹＥＳ」になり、ステップＳＡ１７に進み、カメラ８をオフ設定した後、前述のステップＳＡ２（図６参照）に処理を戻して待受画面表示状態に復帰する。
【００３６】
一方、カメラ８が撮像状態にある時に、シャッタスイッチがオン操作されると、ステップＳＡ１５の判断結果が「ＹＥＳ」になり、ステップＳＡ１８に進み、シャッタスイッチがオン操作された時点でカメラ８から出力される撮像データを、メモリ１６のワーク領域に設けられる画像バッファエリアにストアする。次いで、ステップＳＡ１９では、電力消費を抑える為、撮影終了後は一旦カメラ８をオフ設定する。そして、ステップＳＡ２０に進み、メモリ１６の画像バッファエリアにストアした撮像データを読み出して表示部４に表示する。
【００３７】
この後、ステップＳＡ２１〜２２では、登録スイッチまたはクリアスイッチのオン操作の有無を判断する。登録スイッチがオン操作されると、ステップＳＡ２１の判断結果が「ＹＥＳ」になり、ステップＳＡ２３に進み、メモリ１６の画像バッファエリアにストアした撮像データを、メモリカード７の撮像データエリアに画像ファイルとして登録した後、前述のステップＳＡ２（図６参照）に処理を戻して待受画面表示状態に復帰する。これに対し、クリアスイッチがオン操作された場合には、ステップＳＡ２２の判断結果が「ＹＥＳ」になり、上記ステップＳＡ１３に処理を戻し、カメラ８をオン設定する。
【００３８】
ｄ．画像ファイルスイッチがオン操作された場合
メモリカード７の撮像データエリアに登録された複数の画像ファイルの内から所望の画像ファイルを選ぶ為に画像ファイルスイッチをオン操作したとする。そうすると、図８に図示するステップＳＡ２４の判断結果が「ＹＥＳ」になり、ステップＳＡ２５に進む。ステップＳＡ２５に進むと、制御部１３は、メモリカード７の撮像データエリアに登録された複数の画像ファイルのファイル名を一覧表示するファイルリスト画面（不図示）を作成して表示部４に表示する。次いで、ステップＳＡ２６では、ファイルリスト画面に一覧表示される項目（ファイル名）の一つをフォーカスする。フォーカスとは、ファイルリスト画面におけるデフォルト位置（例えば画面最上位の行）にあるファイル名の表示色を異ならせて強調表示する等の表示処理を指す。
【００３９】
次に、ステップＳＡ２７〜ＳＡ３０では、ファイルリスト画面が表示された状態で行われるカーソルスイッチ、決定スイッチおよびクリアスイッチのオン操作に対応した処理を実行する。すなわち、ファイルリスト画面に一覧表示されるファイル名の内から所望のファイル名を選択すべくユーザがカーソルスイッチをオン操作すると、ステップＳＡ２７の判断結果が「ＹＥＳ」になり、ステップＳＡ２８に進み、フォーカスする位置を移動させる。そして、ユーザが決定スイッチをオン操作すると、ステップＳＡ２９の判断結果が「ＹＥＳ」になり、ステップＳＡ３１に進む。なお、画像ファイル選択を中止する為にクリアスイッチがオン操作された場合には、ステップＳＡ３０の判断結果が「ＹＥＳ」となり、図６に図示するステップＳＡ２に処理を戻して待受画面表示状態に復帰する。
【００４０】
決定スイッチのオン操作に応じてステップＳＡ３１に進むと、フォーカスされたファイル名の画像ファイル（撮像データ）を読み出して表示部４に表示する。そして、ステップＳＡ３２〜３３では、削除スイッチまたはクリアスイッチのオン操作の有無を判断する。削除スイッチがオン操作された場合には、ステップＳＡ３２の判断結果が「ＹＥＳ」になり、ステップＳＡ３４に進み、フォーカスされたファイル名の画像ファイル（撮像データ）をメモリ１６の画像バッファエリアから削除した後、上記ステップＳＡ２５に処理を戻してファイルリスト画面表示状態に復帰する。一方、クリアスイッチがオン操作された場合には、ステップＳＡ３３の判断結果が「ＹＥＳ」になり、上記ステップＳＡ２５に処理を戻してファイルリスト画面表示状態に復帰する。
【００４１】
ｅ．印刷テンプレートスイッチがオン操作された場合
印刷レイアウトを選択すべく印刷テンプレートスイッチをオン操作したとする。そうすると、図９に図示するステップＳＡ３５の判断結果が「ＹＥＳ」になり、ステップＳＡ３６に進む。ステップＳＡ３６では、メモリ１６のテーブル領域に格納される印刷テンプレートテーブルＰＴＴ（図４参照）を参照して、当該印刷テンプレートテーブルＰＴＴに登録されたテンプレート名を一覧表示するテンプレートリスト画面（不図示）を作成して表示部４に表示する。次いで、ステップＳＡ３７では、このテンプレートリスト画面に一覧表示される項目（テンプレート名）の一つをフォーカスする。
【００４２】
そして、ステップＳＡ３８〜ＳＡ４１では、テンプレートリスト画面が表示された状態で行われるカーソルスイッチ、決定スイッチおよびクリアスイッチのオン操作に対応した処理を実行する。すなわち、テンプレートリスト画面に一覧表示されるテンプレート名の内から所望のテンプレート名を選択すべくユーザがカーソルスイッチをオン操作すると、ステップＳＡ３８の判断結果が「ＹＥＳ」になり、ステップＳＡ３９に進み、フォーカス位置を移動させる。そして、ユーザが決定スイッチをオン操作すると、ステップＳＡ４０の判断結果が「ＹＥＳ」になり、ステップＳＡ４２に進む。なお、印刷テンプレートの選択を中止する為にクリアスイッチがオン操作された場合には、ステップＳＡ４１の判断結果が「ＹＥＳ」となり、図６に図示するステップＳＡ２に処理を戻して待受画面表示状態に復帰する。
【００４３】
決定スイッチのオン操作に応じてステップＳＡ４２に進むと、選択されたテンプレート名に対応したテンプレートデータを、印刷テンプレートテーブルＰＴＴ（図４参照）より抽出し、これに基づき印刷レイアウトを表す印刷テンプレート画面を作成して表示部４に表示する。例えば、「年賀状Ａ」というテンプレート名を選択した場合、印刷テンプレートテーブルＰＴＴからテンプレート番号００１のテンプレートデータが読み出され、当該テンプレートデータで指定される「年賀状Ａ」の印刷レイアウトが画面表示される。そして、ステップＳＡ４３〜ＳＡ４５では、画像編集スイッチ、グループ編集スイッチおよびクリアスイッチのオン操作の有無を判断する。
【００４４】
画像編集スイッチがオン操作された場合には、ステップＳＡ４３の判断結果が「ＹＥＳ」になり、ステップＳＡ４６に進む。ステップＳＡ４６では、テンプレートにリンクさせる画像ファイルを選定する画像編集処理（後述する）を実行した後、上記ステップＳＡ３６に処理を戻してテンプレートリスト画面表示状態に復帰する。グループ編集スイッチがオン操作された場合には、ステップＳＡ４４の判断結果が「ＹＥＳ」になり、ステップＳＡ４７に進む。ステップＳＡ４７では、テンプレートに登録するグループ番号を選定するグループ編集処理（後述する）を実行した後、上記ステップＳＡ３６に処理を戻してテンプレートリスト画面表示状態に復帰する。クリアスイッチがオン操作された場合には、ステップＳＡ４５の判断結果が「ＹＥＳ」になり、前述したステップＳＡ２（図６参照）に処理を戻して待受画面表示状態に復帰する。
【００４５】
ｆ．アドレス帳スイッチがオン操作された場合
アドレス帳スイッチをオン操作すると、図１０に図示するステップＳＡ４８の判断結果が「ＹＥＳ」になり、ステップＳＡ４９に進む。ステップＳＡ４９では、メモリ１６のテーブル領域に格納されるアドレス帳テーブルＡＤＴ（図３参照）を参照して、当該アドレス帳テーブルＡＤＴに登録されたアドレスデータ（例えばアドレス番号および名前）を一覧表示するアドレスリスト画面（不図示）を作成して表示部４に表示する。次いで、ステップＳＡ５０では、このアドレスリスト画面に一覧表示される項目（アドレスデータ）の一つをフォーカスする。
【００４６】
そして、ステップＳＡ５１〜ＳＡ５４では、アドレスリスト画面が表示された状態で行われるカーソルスイッチ、新規スイッチ、クリアスイッチおよび編集スイッチのオン操作に対応した処理を実行する。すなわち、アドレス帳テーブルＡＤＴに登録済みのアドレスデータの内容を編集する場合には、カーソルスイッチをオン操作してフォーカス位置を移動させ（ステップＳＡ５２）、内容編集するアドレスデータをフォーカスさせた状態で編集スイッチをオン操作すると、ステップＳＡ５５の判断結果が「ＹＥＳ」となり、ステップＳＡ５７を介して編集処理を実行する。
【００４７】
編集処理では、フォーカスされたアドレスデータの内容（グループ番号、名前、住所、電話番号および電子メールアドレス）について変更又は修正する編集操作を行い、編集操作後のアドレスデータをアドレス帳テーブルＡＤＴに更新登録する。こうした編集処理を実行した後、制御部１３は上記ステップＳＡ４９に処理を戻してテンプレートリスト画面表示状態に復帰する。
【００４８】
アドレスデータを新規登録する場合には、新規スイッチをオン操作する。すると、ステップＳＡ５３の判断結果が「ＹＥＳ」になり、ステップＳＡ５６に進む。ステップＳＡ５６では、新たに入力されるアドレスデータをアドレス帳テーブルＡＤＴに登録する新規入力処理（後述する）を実行した後、上記ステップＳＡ４９に処理を戻してテンプレートリスト画面表示状態に復帰する。アドレス帳に係わる処理を終える為にクリアスイッチがオン操作された場合には、ステップＳＡ５４の判断結果が「ＹＥＳ」になり、前述したステップＳＡ２（図６参照）に処理を戻して待受画面表示状態に復帰する。
【００４９】
ｇ．印刷スイッチがオン操作された場合
印刷スイッチをオン操作すると、図１１に図示するステップＳＡ５８の判断結果が「ＹＥＳ」になり、ステップＳＡ５９に進む。ステップＳＡ５９では、システムＲＯＭ１５にファクトリープリセットされる印刷メニュー画面データに基づき印刷メニュー画面を表示部４に表示する。印刷メニュー画面とは、図示していないが、後述する個人アドレス、テンプレートおよびグループのいずれかの印刷形態を選択するための画面である。そして、ステップＳＡ６０では、印刷メニュー画面に表示されるメニュー項目（個人アドレス、テンプレートおよびグループ）の一つをフォーカスする。
【００５０】
次いで、ステップＳＡ６１〜ＳＡ６４では、印刷メニュー画面が表示された状態で行われるカーソルスイッチ、決定スイッチおよびクリアスイッチのオン操作に対応した処理を実行する。すなわち、印刷メニュー画面に表示されるメニュー項目の内から所望の項目を選択すべくユーザがカーソルスイッチをオン操作すると、ステップＳＡ６１の判断結果が「ＹＥＳ」になり、ステップＳＡ６２に進み、フォーカスする位置を移動させる。そして、ユーザが決定スイッチをオン操作すると、ステップＳＡ６３の判断結果が「ＹＥＳ」になり、ステップＳＡ６５に進む。なお、メニュー項目選択を中止する為にクリアスイッチがオン操作された場合には、ステップＳＡ６４の判断結果が「ＹＥＳ」となり、前述したステップＳＡ２（図６参照）に処理を戻して待受画面表示状態に復帰する。
【００５１】
決定スイッチのオン操作に応じてステップＳＡ６５に進むと、フォーカスされたメニュー項目に対応した処理、つまり個人アドレスが選択された場合にはステップＳＡ６６を介して個人アドレス印刷処理（後述する）を、テンプレートが選択された場合にはステップＳＡ６７を介してテンプレート印刷処理（後述する）を、グループが選択された場合にはステップＳＡ６８を介してグループ印刷処理（後述する）を実行した後、上記ステップＳＡ５９に処理を戻して印刷メニュー画面表示状態に復帰する。
【００５２】
（２）着信検出処理の動作
次に、図１２を参照して着信検出処理の動作を説明する。前述したメインルーチンを実行中に着信があると、制御部１３は本処理を割込み実行し、ステップＳＢ１〜ＳＢ２において、ユーザがオフフックスイッチをオン操作するまで着信報知を継続させる。そして、オフフックスイッチがオン操作されると、ステップＳＢ２の判断結果が「ＹＥＳ」になり、ステップＳＢ３に進み、通話処理を実行する。この後、通話を終えてユーザがオンフックスイッチをオン操作すると、ステップＳＢ４の判断結果が「ＹＥＳ」となり、本処理を完了させて前述のメインルーチンに復帰する。
【００５３】
（３）画像編集処理の動作
次に、図１３を参照して画像編集処理の動作を説明する。前述したメインルーチンのステップＳＡ４６（図９参照）を介して本処理が実行されると、制御部１３は図１３に示すステップＳＣ１に処理を進め、メモリカード７の撮像データエリアに登録された画像ファイルを一覧表示する画像ファイルリスト画面（不図示）を作成して表示部４に表示する。そして、ステップＳＣ２では、この画像ファイルリスト画面に一覧表示される項目（画像ファイル名）の一つをフォーカスする。次いで、ステップＳＣ３〜ＳＣ７では、画像ファイルリスト画面が表示された状態で行われるカーソルスイッチ、決定スイッチ、表示スイッチおよびクリアスイッチのオン操作に対応した処理を実行する。
【００５４】
すなわち、カーソルスイッチがオン操作された場合には、ステップＳＣ３の判断結果が「ＹＥＳ」になり、ステップＳＣ４に進み、フォーカス位置を移動させる。決定スイッチがオン操作された場合には、ステップＳＣ５の判断結果が「ＹＥＳ」になり、ステップＳＣ８に進む。ステップＳＣ８では、選択された画像ファイル名を、前述のステップＳＡ４２（図９参照）において印刷テンプレート画面として表示されたテンプレートにリンクさせる。つまり、印刷テンプレートテーブルＰＴＴの内、前述のステップＳＡ４２にて選択されたテンプレートデータ中の画像ファイル名エリアに、選択された撮像データの画像ファイル名を登録する。この後、上記ステップＳＣ１に処理を戻して画像ファイルリスト画面表示状態に復帰する。
【００５５】
表示スイッチがオン操作された場合には、ステップＳＣ６の判断結果が「ＹＥＳ」になり、ステップＳＣ９に進む。ステップＳＣ９では、選択された画像ファイル名の撮像データをメモリカード７の撮像データエリアから読み出して表示部４に表示する。そして、ステップＳＣ１０に進み、クリアスイッチがオン操作されるまで撮像データを表示し、クリアスイッチのオン操作に応じてステップＳＣ１０の判断結果が「ＹＥＳ」になると、上記ステップＳＣ１に処理を戻して画像ファイルリスト画面表示状態に復帰する。
画像ファイルリスト画面表示状態でクリアスイッチがオン操作された場合には、ステップＳＣ７の判断結果が「ＹＥＳ」となり、本処理を完了して前述のメインルーチンにおけるステップＳＡ３６に処理を戻してテンプレートリスト画面表示状態に復帰する。
【００５６】
（４）グループ編集処理の動作
次に、図１４を参照してグループ編集処理の動作を説明する。前述したメインルーチンのステップＳＡ４７（図９参照）を介して本処理が実行されると、制御部１３は図１４に示すステップＳＤ１に処理を進め、メモリ１６のテーブル領域に格納されるグループテーブルＧＴ（図２参照）を参照し、当該グループテーブルＧＴに登録されたグループ名を一覧表示するグループリスト画面（不図示）を作成して表示部４に表示する。そして、ステップＳＤ２では、このグループリスト画面に一覧表示される項目（グループ名）の一つをフォーカスする。次いで、ステップＳＤ３〜ＳＤ６では、グループリスト画面表示状態で行われるカーソルスイッチ、決定スイッチおよびクリアスイッチのオン操作に対応した処理を実行する。
【００５７】
すなわち、カーソルスイッチがオン操作された場合には、ステップＳＤ３の判断結果が「ＹＥＳ」になり、ステップＳＤ４に進み、フォーカス位置を移動させる。決定スイッチがオン操作された場合には、ステップＳＤ５の判断結果が「ＹＥＳ」になり、ステップＳＤ７に進む。ステップＳＤ７では、選択されたグループ名に対応したグループ番号を、前述のステップＳＡ４２（図９参照）において印刷テンプレート画面として表示したテンプレートに登録する。つまり、印刷テンプレートテーブルＰＴＴの内、前述のステップＳＡ４２にて選択されたテンプレートデータ中のグループ番号エリアに、選択されたグループ名に対応したグループ番号を登録して本処理を完了させた後、前述のメインルーチンにおけるステップＳＡ３６に処理を戻してテンプレートリスト画面表示状態に復帰する。クリアスイッチがオン操作された場合には、ステップＳＤ６の判断結果が「ＹＥＳ」となり、何も行わずに本処理を完了して前述のメインルーチンにおけるステップＳＡ３６に処理を戻してテンプレートリスト画面表示状態に復帰する。
【００５８】
（５）新規入力処理の動作
次に、図１５を参照して新規入力処理の動作を説明する。前述したメインルーチンのステップＳＡ５６（図１０参照）を介して本処理が実行されると、制御部１３は図１５に示すステップＳＥ１に処理を進め、システムＲＯＭ１５にファクトリープリセットされるアドレス新規入力画面データに基づきアドレス新規入力画面を表示部４に表示する。
【００５９】
新規入力画面とは、図示していないが、アドレス帳テーブルＡＤＴ（図３参照）に、新たに入力するアドレスデータのデータ項目（グループ番号、名前、住所、電話番号および電子メールアドレス）を一覧表示する画面である。次いで、ステップＳＥ２では、これらデータ項目（グループ番号、名前、住所、電話番号および電子メールアドレス）の内の一つの項目をフォーカスする。そして、ステップＳＥ３〜ＳＥ８では、新規入力画面表示状態で行われるカーソルスイッチ操作、データ入力操作、保存スイッチ操作およびクリアスイッチ操作に対応した処理を実行する。
【００６０】
入力するデータ項目を選択するためにカーソルスイッチをオン操作すると、ステップＳＥ３の判断結果が「ＹＥＳ」になり、ステップＳＥに進み、フォーカス位置を移動させる。そして、所望のデータ項目がフォーカスされている状態でデータ入力操作、すなわちダイヤルスイッチと兼用の文字入力スイッチを用いて文字や数字あるいは記号を入力するデータ入力が行われると、ステップＳＥ５の判断結果が「ＹＥＳ」になり、ステップＳＥ６に進み、入力されたデータをフォーカス位置に表示する。そして、データ入力操作を終えて保存スイッチをオン操作すると、ステップＳＥ７の判断結果が「ＹＥＳ」になり、ステップＳＥ９に進む。
【００６１】
ステップＳＥ９では、入力されたデータが必要エリアでの入力であるか否か、つまり入力されたデータとフォーカスされたデータ項目とが一致しているかどうかを判断する。例えばフォーカスされたデータ項目がグループ番号であるのに名前を入力した場合には、入力されたデータとフォーカスされたデータ項目とが一致せず、判断結果が「ＮＯ」となり、ステップＳＥ１０に進み、未入力のデータ項目をフォーカスして上記ステップＳＥ３に処理を戻す。
【００６２】
一方、入力されたデータとフォーカスされたデータ項目とが一致すると、上記ステップＳＥ９の判断結果は「ＹＥＳ」になり、ステップＳＥ１１に進む。ステップＳＥ１１では、入力されたデータを、新規入力されるアドレスデータのデータ項目として、メモリ１６のテーブル領域に格納されるアドレス帳テーブルＡＤＴに登録した後、上記ステップＳＥ１に処理を戻してアドレス新規入力画面表示状態に復帰する。以後、上述した処理を繰り返すことによって、アドレスデータを構成する各データ項目について入力されたデータがアドレス帳テーブルＡＤＴに登録される。
【００６３】
なお、保存スイッチをオン操作する前に、クリアスイッチがオン操作された場合には、ステップＳＥ８の判断結果が「ＹＥＳ」になり、ステップＳＥ１２に進み、入力されたデータをクリアして本処理を終え、前述のメインルーチンにおけるステップＳＡ４９（図１０参照）に処理を戻してアドレスリスト画面表示状態に復帰する。
【００６４】
（６）個人アドレス印刷処理の動作
次に、図１６を参照して個人アドレス印刷処理の動作を説明する。前述したメインルーチンのステップＳＡ６６（図１１参照）を介して本処理が実行されると、制御部１３は図１５に示すステップＳＦ１に処理を進め、メモリ１６のテーブル領域に格納されるアドレス帳テーブルＡＤＴを参照し、当該アドレス帳テーブルＡＤＴに登録されたアドレスデータ（例えばアドレス番号および名前）を一覧表示するアドレスリスト画面（不図示）を作成して表示部４に表示する。次いで、ステップＳＦ２では、このアドレスリスト画面に一覧表示される項目（アドレス番号および名前）の一つをフォーカスする。
【００６５】
そして、ステップＳＦ３〜ＳＦ６では、アドレスリスト画面表示状態で行われるカーソルスイッチ、決定スイッチおよびクリアスイッチのオン操作に対応した処理を実行する。すなわち、カーソルスイッチがオン操作された場合には、ステップＳＦ３の判断結果が「ＹＥＳ」になり、ステップＳＦ４に進み、フォーカス位置を移動させる。決定スイッチがオン操作された場合には、ステップＳＦ５の判断結果が「ＹＥＳ」になり、ステップＳＦ７に進む。クリアスイッチがオン操作された場合には、ステップＳＦ６の判断結果が「ＹＥＳ」となり、何も行わずに本処理を完了して前述のメインルーチンにおけるステップＳＡ５９（図１１参照）に処理を戻して印刷メニュー画面表示状態に復帰する。
【００６６】
決定スイッチのオン操作に応じてステップＳＦ７に進むと、制御部１３は、フォーカスされたアドレスデータ内のグループ番号をアドレス帳テーブルＡＤＴから読み出し、そのグループ番号が割り当てられているテンプレートデータを印刷テンプレートテーブルＰＴＴ（図４参照）から読み出す。これにより、選択されたアドレスデータに対応したテンプレートデータが得られる。そして、ステップＳＦ８では、アドレスデータとテンプレートデータにより印刷データを作成する。
【００６７】
ここで、図３に図示するアドレス帳テーブルＡＤＴおよび図４に図示する印刷テンプレートテーブルＰＴＴを参照して、上記ステップＳＦ１〜ＳＦ８の処理を具体的に説明する。例えば、アドレスリスト画面においてアドレス番号「００１」の「山田太郎」を選択したとする。そうすると、アドレス番号「００１」のアドレスデータに含まれるグループ番号「００１」がアドレス帳テーブルＡＤＴから読み出され、このグループ番号「００１」を有するテンプレートデータとして、テンプレート番号「００１」のテンプレートデータが印刷テンプレートテーブルＰＴＴから読み出される。したがって、この場合、テンプレート番号「００１」のテンプレートデータに従って葉書裏面に画像を伴った”年賀状Ａ”を印刷するための印刷データや、アドレスデータ中の名前および住所を用いて葉書表面の宛先を印刷するための印刷データが作成される。
【００６８】
そして、ステップＳＦ９では、入出力インタフェース２１を介して接続されるプリンタに印刷データを出力する。印刷データを出力し終えると、ステップＳＦ１０の判断結果が「ＹＥＳ」になり、ステップＳＦ１１に進む。ステップＳＦ１１では、メモリ１６のテーブル領域に格納される印刷履歴テーブルＰＲＴに印刷履歴として、印刷を行ったアドレス帳番号、印刷日時、使用テンプレート番号および印刷枚数を追加ストアする。例えば、上記”年賀状Ａ”を印刷し終えた場合には、図２１に図示する一例のように、印刷履歴テーブルＰＲＴに印刷履歴が記録される。この後、上記ステップＳＦ１に処理を戻してアドレスリスト画面表示状態に復帰する。
【００６９】
（７）テンプレート印刷処理の動作
次に、図１７〜図１８を参照してテンプレート印刷処理の動作を説明する。前述したメインルーチンのステップＳＡ６７（図１１参照）を介して本処理が実行されると、制御部１３は図１７に示すステップＳＧ１に処理を進め、メモリ１６のテーブル領域に格納される印刷テンプレートテーブルＰＴＴを参照して、当該印刷テンプレートテーブルＰＴＴに登録されたテンプレート名を一覧表示するテンプレートリスト画面（不図示）を作成して表示部４に表示する。次いで、ステップＳＧ２では、このテンプレートリスト画面に一覧表示される項目（テンプレート名）の一つをフォーカスする。
【００７０】
そして、ステップＳＧ３〜ＳＧ６では、テンプレートリスト画面が表示された状態で行われるカーソルスイッチ、決定スイッチおよびクリアスイッチのオン操作に対応した処理を実行する。すなわち、テンプレートリスト画面に一覧表示されるテンプレート名の内から所望のテンプレート名を選択すべくユーザがカーソルスイッチをオン操作すると、ステップＳＧ３の判断結果が「ＹＥＳ」になり、ステップＳＧ４に進み、フォーカスする位置を移動させる。そして、ユーザが決定スイッチをオン操作すると、ステップＳＧ５の判断結果が「ＹＥＳ」になり、ステップＳＧ７に進む。クリアスイッチがオン操作された場合には、ステップＳＧ６の判断結果が「ＹＥＳ」となり、何も行わずに本処理を完了して前述のメインルーチンにおけるステップＳＡ５９（図１１参照）に処理を戻して印刷メニュー画面表示状態に復帰する。
【００７１】
決定スイッチのオン操作に応じてステップＳＧ７に進むと、制御部１３は、選択されたテンプレート名に対応したテンプレートデータ内のグループ番号を印刷テンプレートテーブルＰＴＴ（図４参照）から読み出し、これを指定グループ番号に設定する。次いで、ステップＳＧ８では、アドレス帳テーブルＡＤＴ（図３参照）からアドレスデータを読み出す。そして、ステップＳＧ９では、読み出したアドレスデータに含まれるグループ番号が指定グループ番号に一致するか否かを判断する。つまり、ステップＳＧ８〜ＳＧ９では、アドレス帳テーブルＡＤＴから指定グループ番号を含むアドレスデータを検索して抽出する。検索条件に合致しないアドレスデータであると、上記ステップＳＧ９の判断結果は「ＮＯ」になり、後述するステップＳＧ１４（図１８参照）に処理を進める。
【００７２】
一方、検索条件に合致した、指定グループ番号を含むアドレスデータであると、上記ステップＳＧ９の判断結果が「ＹＥＳ」になり、ステップＳＧ１０に進む。ステップＳＧ１０では、指定グループ番号のテンプレートデータと、指定グループ番号を含むアドレスデータとに基づき、例えば葉書表面の宛先や葉書裏面を印刷するための印刷データを作成する。
【００７３】
そして、図１８に図示するステップＳＧ１１に進み、入出力インタフェース２１を介して接続されるプリンタに印刷データを出力する。印刷データを出力し終えると、ステップＳＧ１２の判断結果が「ＹＥＳ」になり、ステップＳＧ１３に進む。ステップＳＧ１３では、メモリ１６のテーブル領域に格納される印刷履歴テーブルＰＲＴに印刷履歴として、印刷を行ったアドレス番号、印刷日時、使用テンプレート番号および印刷枚数を追加ストアする。これにより、図２１に図示する一例のように印刷履歴が記録される。
【００７４】
続いて、ステップＳＧ１４では、アドレス帳テーブルＡＤＴ（図３参照）に登録された全てのアドレスデータについて検索抽出し終えたかどうかを判断する。検索抽出し終えていなければ、判断結果は「ＮＯ」となり、上述のステップＳＧ８（図１７参照）に処理を戻して検索抽出を続行させる。一方、検索抽出し終えた場合には、上記ステップＳＧ１４の判断結果が「ＹＥＳ」になり、上述したステップＳＧ１に処理を戻してテンプレートリスト画面表示状態に復帰する。
【００７５】
（８）グループ印刷処理の動作
次に、図１９〜図２０を参照してグループ印刷処理の動作を説明する。前述したメインルーチンのステップＳＡ６８（図１１参照）を介して本処理が実行されると、制御部１３は図１９に示すステップＳＨ１に処理を進め、メモリ１６のテーブル領域に格納されるグループテーブルＧＴを参照し、当該グループテーブルＧＴに登録されたグループ名を一覧表示するグループリスト画面（不図示）を作成して表示部４に表示する。そして、ステップＳＨ２では、このグループリスト画面に一覧表示される項目（グループ名）の一つをフォーカスする。
【００７６】
次いで、ステップＳＨ３〜ＳＨ６では、グループリスト画面が表示された状態で行われるカーソルスイッチ、決定スイッチおよびクリアスイッチのオン操作に対応した処理を実行する。すなわち、グループリスト画面に一覧表示されるグループ名の内から所望のグループ名を選択すべくユーザがカーソルスイッチをオン操作すると、ステップＳＨ３の判断結果が「ＹＥＳ」になり、ステップＳＨ４に進み、フォーカスする位置を移動させる。そして、ユーザが決定スイッチをオン操作すると、ステップＳＨ５の判断結果が「ＹＥＳ」になり、ステップＳＨ７に進む。クリアスイッチがオン操作された場合には、ステップＳＨ６の判断結果が「ＹＥＳ」となり、何も行わずに本処理を完了して前述のメインルーチンにおけるステップＳＡ５９（図１１参照）に処理を戻して印刷メニュー画面表示状態に復帰する。
【００７７】
決定スイッチのオン操作に応じてステップＳＨ７に進むと、制御部１３は、アドレス帳テーブルＡＤＴからアドレスデータを読み出し、続くステップＳＨ８では、印刷枚数をゼロリセットする。次いで、ステップＳＨ９では、読み出したアドレスデータに含まれるグループ番号が、選択されたグループ名に対応した指定グループ番号に一致するか否かを判断する。つまり、指定グループ番号を含む印刷対象のアドレスデータであるかどうかを判断する。印刷対象のアドレスデータでなければ、判断結果は「ＮＯ」になり、後述のステップＳＨ１５（図２０参照）に処理を進める。
【００７８】
一方、印刷対象のアドレスデータであると、上記ステップＳＨ９の判断結果が「ＹＥＳ」になり、ステップＳＨ１０に進む。ステップＳＨ１０では、指定グループ番号に対応したテンプレートデータを印刷テンプレートテーブルＰＴＴ（図４参照）から読み出し、続くステップＳＨ１１では、読み出されたテンプレートデータと、指定グループ番号を含む印刷対象のアドレスデータとに基づき、例えば葉書表面の宛先や葉書裏面を印刷するための印刷データを作成する。次いで、図２０に図示するステップＳＨ１２に進み、入出力インタフェース２１を介して接続されるプリンタに印刷データを出力する。印刷データを出力し終えると、ステップＳＨ１３の判断結果が「ＹＥＳ」になり、ステップＳＨ１４に進み、印刷枚数をインクリメントする。
【００７９】
続いて、ステップＳＨ１５では、アドレス帳テーブルＡＤＴに登録された全てのアドレスデータから印刷対象を検索し終えたかどうかを判断する。検索し終えていなければ、判断結果は「ＮＯ」となり、上述のステップＳＨ９（図１９参照）に処理を戻して印刷対象の検索を続行させる。一方、検索し終えた場合には、上記ステップＳＨ１５の判断結果が「ＹＥＳ」になり、ステップＳＨ１６に進む。ステップＳＨ１６では、メモリ１６のテーブル領域に格納される印刷履歴テーブルＰＲＴ（図５参照）に印刷履歴として、印刷を行ったグループ番号、印刷日時、使用テンプレート番号および印刷枚数を追加ストアする。これにより、図２１に図示する一例のように印刷履歴が記録される。そしてこの後、上述したステップＳＨ１（図１９参照）に処理を戻してグループリスト画面表示状態に復帰する。
【００８０】
以上説明したように、本実施形態では、グループ名毎のグループ番号が登録されるグループテーブルＧＴと、アドレス番号、少なくとも宛先となる住所氏名を含む個人情報および前記グループ番号から構成されるアドレスデータが登録されるアドレス帳テーブルＡＤＴと、テンプレート番号、印刷する画像を指定する画像情報を含む印刷レイアウトおよび前記グループ番号から構成されるテンプレートデータが登録される印刷テンプレートテーブルＰＴＴとを設け、カメラ８にて撮像した画像を印刷対象に指定する画像情報を、印刷テンプレートテーブルＰＴＴに登録されるテンプレートデータ中の印刷レイアウトに登録しておき、アドレス帳テーブルＡＤＴから宛先となるアドレスデータを選択すると、選択されたアドレスデータのグループ番号と同じグループ番号を備えたテンプレートデータを印刷テンプレートテーブルＰＴＴから読み出し、読み出したテンプレートデータおよび選択されたアドレスデータに基づき、葉書表面の宛先や画像情報を含む印刷レイアウトで葉書裏面を印刷するための印刷データを発生して印刷指示する。したがって、アドレスデータを選択するという簡単な操作だけで、撮像した画像を用いた年賀状や暑中見舞い等の印刷指示を手軽に行うことができる。
【００８１】
また、本実施形態では、印刷テンプレートテーブルＰＴＴから所望の印刷レイアウトのテンプレートデータを選択すると、選択されたテンプレートデータのグループ番号と同じグループ番号を備えたアドレスデータをアドレス帳テーブルＡＤＴから読み出し、読み出したアドレスデータおよび選択されたテンプレートデータに基づき、葉書表面の宛先や画像情報を含む印刷レイアウトで葉書裏面を印刷するための印刷データを発生して印刷指示する。したがって、テンプレートデータを選択するという簡単な操作だけで、撮像した画像を用いた年賀状や暑中見舞い等の印刷指示を手軽に行うことができる。
【００８２】
さらに、本実施形態では、グループテーブルＧＴから所望のグループ名を選択すると、選択されたグループ名のグループ番号と同じグループ番号を備えた印刷対象のアドレスデータをアドレス帳テーブルＡＤＴから検索し、印刷対象のアドレスデータが検索された場合には、選択されたグループ名のグループ番号に対応したテンプレートデータを印刷テンプレートテーブルＰＴＴから読み出し、読み出されたテンプレートデータおよび印刷対象のアドレスデータに基づき、葉書表面の宛先や印刷する画像を指定する画像情報を含む印刷レイアウトで葉書裏面を印刷するための印刷データを発生して印刷指示する。したがって、グループ名を選択するという簡単な操作だけで、撮像した画像を用いた年賀状や暑中見舞い等の印刷指示を手軽に行うことができる。
【００８３】
加えて、本実施形態では、印刷指示が発生する毎に、印刷日時、印刷に用いたアドレスデータのアドレス番号、印刷に用いたテンプレートデータのテンプレート番号、印刷に用いたグループデータのグループ番号を印刷枚数と共に記録する印刷履歴テーブルＰＲＴを設けたので、この印刷履歴テーブルＰＲＴの内容からこれにまでに行われた印刷履歴を確認することができる。
【００８４】
なお、本実施形態では、説明の簡略化を図るため、印刷テンプレートテーブルＰＴＴに登録されるテンプレートデータを、「テンプレート番号」、「テンプレート名称」、「文字列印字位置情報」、「画像位置」、「画像サイズ」、「画像ファイル名」および「グループ番号」から構成されるものとしたが、これに限らず、例えば文字フォント種類、文字サイズ、文字色、画像の回転、住所印刷の可否など印刷レイアウトに関する各様なデータ項目を設けることも可能である。
また、本実施形態では、印刷指示が発生する毎に印刷履歴を記録するだけであるが、これに限らず、印刷履歴を記録した印刷履歴テーブルＰＲＴから以前の印刷で使用したアドレスデータのアドレス番号、テンプレートデータのテンプレート番号もしくはグループデータのグループ番号のいずれかを参照して、以前と同じ印刷を指示する態様としても良い。この場合も、アドレスデータ、テンプレートデータもしくはグループデータのいずれかを選択するだけで、撮像した画像を用いた年賀状や暑中見舞い等の印刷指示を手軽に行うことができる。
【図面の簡単な説明】
【００８５】
【図１】本発明の一実施形態による形態電話１の構成を示すブロック図である。
【図２】グループテーブルＧＴのデータ構造を示す図である。
【図３】アドレス帳テーブルＡＤＴのデータ構造を示す図である。
【図４】印刷テンプレートＰＴＴのデータ構造を示す図である。
【図５】印刷履歴テーブルＰＲＴのデータ構造を示す図である。
【図６】メインルーチンの動作を示すフローチャートである。
【図７】メインルーチンの動作を示すフローチャートである。
【図８】メインルーチンの動作を示すフローチャートである。
【図９】メインルーチンの動作を示すフローチャートである。
【図１０】メインルーチンの動作を示すフローチャートである。
【図１１】メインルーチンの動作を示すフローチャートである。
【図１２】着信検出処理の動作を示すフローチャートである。
【図１３】画像編集処理の動作を示すフローチャートである。
【図１４】グループ編集処理の動作を示すフローチャートである。
【図１５】新規入力処理の動作を示すフローチャートである。
【図１６】個人アドレス印刷処理の動作を示すフローチャートである。
【図１７】テンプレート印刷処理の動作を示すフローチャートである。
【図１８】テンプレート処理の動作を示すフローチャートである。
【図１９】グループ印刷処理の動作を示すフローチャートである。
【図２０】グループ印刷処理の動作を示すフローチャートである。
【図２１】印刷履歴テーブルＰＲＴの一例を示す図である。
【符号の説明】
【００８６】
１  携帯電話
２  アンテナ
３  スピーカ
４  表示部
５  キー入力部
６  マイク
７  メモリカード
８  カメラ
９  スピーカ
１０  バイブレータ
１１  無線送受信部
１２  無線信号処理部
１３  制御部
１４  加入者情報記憶部
１５  システムＲＯＭ
１６  メモリ
１７  音声信号処理部
１８  ドライバ
１９  ドライバ
２０  ドライバ
２１  入出力インタフェース
【図１】
2005286545.tif 000003
【図２】
2005286545.tif 000004
【図３】
2005286545.tif 000005
【図４】
2005286545.tif 000006
【図５】
2005286545.tif 000007
【図６】
2005286545.tif 000008
【図７】
2005286545.tif 000009
【図８】
2005286545.tif 000010
【図９】
2005286545.tif 000011
【図１０】
2005286545.tif 000012
【図１１】
2005286545.tif 000013
【図１２】
2005286545.tif 000014
【図１３】
2005286545.tif 000015
【図１４】
2005286545.tif 000016
【図１５】
2005286545.tif 000017
【図１６】
2005286545.tif 000018
【図１７】
2005286545.tif 000019
【図１８】
2005286545.tif 000020
【図１９】
2005286545.tif 000021
【図２０】
2005286545.tif 000022
【図２１】
2005286545.tif 000023